(57)【要約】      （修正有）【課題】手動でロッキングする必要がなく、昇降時に緩みの発生がなく安定な平面テーブルを提供する。【解決手段】平面テーブルは、テーブル天板１の下方の支持ロッド２が、第１、第２の支持ロッドを有し、支持ロッドの内側に帯状溝２３が設けられ、第１の支持ロッドの帯状溝の上端と第２支持ロッドの帯状溝の下端にそれぞれ接続ピン２４が設置され、テーブル天板の短辺側に位置する２つの支持ロッドは伸縮部材３によって連結され、伸縮部材の両端はそれぞれ対応する接続ピンを介して帯状溝に接続され、伸縮部材は駆動部材を介してコントローラに接続され、テーブル天板の表面に、コントローラに接続された昇降つまみ４１が設けられ、コントローラは昇降つまみの回転角を測定し、駆動部材が伸縮部材の展開や収縮を制御することにより、テーブル天板の上昇や下降が可能となる。【選択図】図１
0003224271.tif 000002
【実用新案登録請求の範囲】
【請求項１】
テーブル天板と、このテーブル天板の下方に配置されている４つの支持ロッドとを備える平面テーブルであって、
コントローラと、駆動部材とをさらに備え、
前記支持ロッドは、前記テーブル天板の底部に固定される第１の支持ロッドと、この第１の支持ロッドの下方に位置する第２の支持ロッドと、を備え、前記第２の支持ロッドは、伸縮部材を介して前記第１の支持ロッドに接続され、前記テーブル天板の短辺側に位置する２つの支持ロッドの間は、前記伸縮部材を介して接続され、
前記第１の支持ロッドと前記第２の支持ロッドの内側には帯状溝が設けられており、前記第１の支持ロッドにおける前記帯状溝の上端には接続ピンが設けられており、前記第２の支持ロッドにおける前記帯状溝の下端には接続ピンが設けられており、前記伸縮部材の両端はそれぞれ対応する接続ピンを介して回転可能に帯状溝に固定され、前記伸縮部材は、前記駆動部材を介して前記テーブル天板の内部に設けられている前記コントローラに接続され、
前記テーブル天板の表面における制御パネルには、前記コントローラに接続されている昇降ノブが設けられており、前記コントローラは、昇降ノブの回転角を検出し、前記駆動部材が前記伸縮部材の展開や収縮を制御することにより、前記第１の支持ロッドと前記第２の支持ロッドの離隔や近接が制御されて、前記テーブル天板の上昇や下降が可能となることを特徴とする平面テーブル。
【請求項２】
前記伸縮部材は、両端がそれぞれ前記接続ピンを介して前記帯状溝の両端に固定されている第１の伸縮部材と、両端がそれぞれ前記接続ピンを介して前記帯状溝の両端に固定されている第２の伸縮部材と、を備え、前記第１の伸縮部材と前記第２の伸縮部材との間は、ピン軸を介して回動可能に接続されていることを特徴とする請求項１に記載の平面テーブル。
【請求項３】
前記テーブル天板は、上板と下板とを備え、前記上板は、前記上板が前記下板と角度をなすように回転軸を介して前記下板に回転可能に接続され、前記回転軸は、前記駆動部材を介して前記コントローラに接続されていることを特徴とする請求項１に記載の平面テーブル。
【請求項４】
前記制御パネルには、前記コントローラに接続されている角度ノブが設けられており、前記コントローラは、角度ノブの回転角を検出し、前記駆動部材は、前記上板の一端が上昇して前記下板と角度をなすように、前記回転軸を制御することを特徴とする請求項３に記載の平面テーブル。
【請求項５】
前記上板と前記下板の間は、前記上板と前記下板とが角度をなすときに前記上板を支持するための補助支持ロッドを介して接続されていることを特徴とする請求項３に記載の平面テーブル。
【請求項６】
前記上板には、前記上板の最上部に位置する保護板と、前記保護板の下部に位置し、前記コントローラに接続されている加熱層と、前記加熱層の下部に位置する断熱層とが設けられており、前記コントローラは、前記断熱層と前記上板の底部との間に設置されていることを特徴とする請求項３に記載の平面テーブル。
【請求項７】
前記制御パネルには、前記コントローラに接続されている温度ノブが設けられており、前記コントローラは、温度ノブの回転角を測定し、前記上板の温度上昇や温度下降が可能となるように加熱層の動作を制御することを特徴とする請求項６に記載の平面テーブル。
【請求項８】
前記第１の支持ロッドと前記第２の支持ロッドとは、固定ロッドを介して接続され、前記固定ロッドは、前記第１の支持ロッドと前記第２の支持ロッドとの内部に挿通されることを特徴とする請求項１に記載の平面テーブル。
【請求項９】
前記第２の支持ロッドの底部には、ユニバーサルホイールと、前記ユニバーサルホイールをロッキングするためのロックと、が設けられていることを特徴とする請求項１に記載の平面テーブル。
【請求項１０】
前記コントローラに接続されている電源装置をさらに備えることを特徴とする請求項１に記載の平面テーブル。
【考案の詳細な説明】
【技術分野】
【０００１】
本考案は、知能型家庭用品技術分野に関し、特に平面テーブルに関するものである。
【背景技術】
【０００２】
平面テーブルは、上には平面がありかつ下には支柱がある常用の家具として、その上面に物品を置いたり、その上面で読書したり、食事したり、書字したり、仕事したりすることができる。平面テーブルは、平坦パネルをレッグやその他の支持部材で固定してなる家具であり、日常生活や仕事に不可欠なものとして非常に重要な役割を果たし、大衆の要求を満たすために、テーブルはいろいろな種類がある。
【０００３】
現在、常用の平面テーブルは、いずれもその高さの上下調節が不可なものであるので、いろいろな高さの要求を満たすことができなかった。また、テーブルの昇降が可能な、ベースと、テーブル天板と、ベースとテーブル天板との間に設けられ、ロックユニットが設けられている昇降手段とを備える昇降テーブルが市販されている。現在昇降手段に用いられるロックユニットとしては一般につまみねじであり、つまみねじを締めれば昇降手段がロッキングされ、つまみねじを緩めれば昇降手段の高さ調節が可能であることによって、テーブル天板の高さを調節することができる。
【０００４】
しかし、つまみねじを用いて昇降手段をロッキングするには比較大きい力が必要であるという欠点がある。即ち、つまみねじを強くねじるには比較大きい力が必要であり、つまみねじを締めた後にも緩みが生じやすいので、ロッキングの信頼性が欠くという欠点がある。
【考案の概要】
【考案が解決しようとする課題】
【０００５】
本考案は、従来の使用高さを手動で調節し、かつ緩みが生じやすくて安定的でないとの問題を解決するための平面テーブルを提供する。
【考案が課題を解決するための手段】
【０００６】
本考案に係る平面テーブルは、テーブル天板と、この天板の下部に配置されている４つの支持ロッドと、コントローラと、駆動部材と、を備え
前記支持ロッドは、前記テーブル天板の底部に固定される第１の支持ロッドと、この第１の支持ロッドの下方に位置する第２の支持ロッドと、を備え、前記第２の支持ロッドは、伸縮部材を介して前記第１の支持ロッドに接続され、前記テーブル天板の短辺側に位置する２つの支持ロッドの間は、前記伸縮部材を介して接続され、
前記第１の支持ロッドと前記第２の支持ロッドとの内側には帯状溝が設けられており、前記第１の支持ロッドにおける前記帯状溝の上端に接続ピンが設置されており、前記第２の支持ロッドにおける前記帯状溝の下端に接続ピンが設置されており、前記伸縮部材の両端はそれぞれ対応する接続ピンを介して回転可能に前記帯状溝に接続され、前記伸縮部材は、前記駆動部材を介してテーブル天板の内部に設けられている前記コントローラに接続され、
前記テーブル天板の表面における制御パネルには、前記コントローラに接続されている昇降ノブが設けられており、コントローラは、昇降ノブの回転角を検出し、前記駆動部材が前記伸縮部材の展開や収縮を制御することにより、前記第１の支持ロッドと第２の支持ロッドとの離隔や近接が制御されて、前記テーブル天板の上昇や下降が可能となる。
【考案の効果】
【０００７】
本考案の構成によれば、本考案に係る平面テーブルは、テーブル天板の下方の支持ロッドは、第１の支持ロッドと、第２の支持ロッドと、を備え、支持ロッドの内側には帯状溝が設けられており、第１の支持ロッドにおける帯状溝の上端に接続ピンが設けられ、第２の支持ロッドにおける帯状溝の下端に接続ピンが設けられ、テーブル天板の短辺側に位置する２つの支持ロッドの間は伸縮部材を介して接続され、伸縮部材の両端はそれぞれ対応する接続ピンを介して回転可能に帯状溝に接続され、伸縮部材は、駆動部材を介してコントローラに接続され、テーブル天板の表面における制御パネルには、コントローラに接続されている昇降ノブが設けられており、コントローラは、昇降ノブの回転角を検出し、駆動部材が伸縮部材の展開や収縮を制御することにより、第１の支持ロッドと第２の支持ロッドとの離隔や近接が制御されて、テーブル天板の上昇や下降が可能となる。このように、本実施例に係る平面テーブルは、使用要求に応じて使用高さを調整して、年齢段階や身長が異なる人に適用されることができ、また、手動でロッキングする必要がなく、昇降時には緩みの発生や不安定な状況はない。
【図面の簡単な説明】
【０００８】
【図１】本考案の実施例に係る平面テーブルの斜視図である。
【図２】本考案の実施例に係る平面テーブルの側面図である。
【図３】本考案の実施例に係る平面テーブルの平面図である。
【図４】本考案の実施例に係る支持ロッドの局部構造を示す図である。
【図５】本考案の実施例に係る平面テーブルの展開状態の側面図である。
【図６】本考案の実施例に係るテーブル天板の断面図である。
【考案を実施するための形態】
【０００９】
図１は、本考案の実施例に係る平面テーブルの斜視図であり、図２は、本考案の実施例に係る平面テーブルの側面図であり、図３は、本考案の実施例に係る平面テーブルの平面図である。
【００１０】
図１、図２及び図３を参照すれば、本考案の実施例に係る平面テーブルは、年齢段階や身長が異なる人々に適用できるように、上下に伸縮して自動的に平面テーブルの使用高さを調節することができる。具体的に、この平面テーブルは、テーブル天板１と、テーブル天板１の４つの角部の下にそれぞれ配置され、テーブル天板１の水平方向における安定が維持されるようにテーブル天板１を支持する４つの支持ロッド２と、を備える。
【００１１】
平面テーブルの使用高さを調節するための要求を実現するために、本実施例では、支持ロッド２は、２つの部分からなり、即ち、支持ロッド２は、テーブル天板１の底部に固定される第１の支持ロッド２１と、この第１の支持ロッド２１の下方に位置する第２の支持ロッド２２とを備える。第１の支持ロッド２１と第２の支持ロッド２２とからなる支持ロッド２が比較強い支持力を持つように、第１の支持ロッド２１と第２の支持ロッド２２の中心線が重なり合う。
【００１２】
第１の支持ロッド２１と第２の支持ロッド２２との昇降を実現するために、本実施例では、第２の支持ロッド２２は、伸縮機能を有する伸縮部材３を介して第１の支持ロッド２１に接続され、伸縮部材３の伸縮によって、第１の支持ロッド２１と第２の支持ロッド２２との昇降を実現することができ、さらに平面テーブルに対する高さの自動的調節の使用要求を実現することができる。
【００１３】
平面テーブルを使用する場合、伸縮部材３が使用者の正常的な使用を妨げないように、伸縮部材３を平面テーブルの両側に設け、すなわち伸縮部材３によってテーブル天板１の短辺側にある２つの支持ロッド２が接続される。平面テーブルは、それぞれ平面テーブルの両側に位置する２つの伸縮部材３を有し、各伸縮部材３は、平面テーブルの側面における２つの支持ロッド２を連結する。
【００１４】
伸縮部材３は、伸縮部材３の伸縮によって第１の支持ロッド２１が第２の支持ロッド２２に沿って上昇または下降することを実現するために、その両端が第１の支持ロッド２１及び第２の支持ロッド２２に接続することによって、２つの支持ロッド２に接続される。このため、本実施例では、２つの支持ロッド２の互いに対向する側である内側に帯状溝２３が設けられている。つまり、第１の支持ロッド２１と第２の支持ロッド２２との内側に帯状溝２３が設けられている。
【００１５】
図４に示すように、帯状溝２３は、第１の支持ロッド２１と第２の支持ロッド２２とを跨って形成され、帯状溝２３の第１の支持ロッド２１に位置する部分の上端に、伸縮部材３の一端を接続するための接続ピン２４が設けられ、帯状溝２３の第２の支持ロッド２２に位置する部分の下端に、伸縮部材３の他端を接続するための接続ピン２４が設けられている。伸縮部材３の各端は、それぞれ２つの支持ロッド２に接続される。即ち、伸縮部材３の上端は、２つの支持ロッド２における上部の接続ピン２４に固定され、下端は、２つの支持ロッド２における下部の接続ピン２４に固定される。
【００１６】
各支持ロッド２には、それぞれ帯状溝２３の上下端に固定される２つの接続ピン２４が設けられている。伸縮部材３は、接続ピン２４に対して回転可能に接続される。
【００１７】
本実施例では、自動的に高さを調節するために、平面テーブルは、コントローラと、駆動部材とをさらに備え、伸縮部材３は、駆動部材を介してコントローラに接続され、コントローラは、テーブル天板１内に設けられている。
【００１８】
図５に示すように、使用者の制御が容易であるように、テーブル天板１の表面に制御パネル４が設けられている。制御パネル４には、コントローラに接続されている昇降ノブ４１が設けられており、コントローラは、昇降ノブ４１の回転角を検出し、駆動部材を介して伸縮部材３の展開や収縮を制御することで、第１の支持ロッド２１と第２の支持ロッド２２との離隔や近接を制御して、テーブル天板１の上昇や下降を実現する。
【００１９】
昇降ノブ４１を時計回りに回転させると、自動的上昇機能が起動され、コントローラの信号収集モジュールが昇降ノブ４１の状態をリアルタイムに検出する。使用者が昇降ノブ４１を時計回りに回転させると、信号収集モジュールが信号を検出し、コントローラのデータ処理モジュールが一連の分析を行った後、コントローラの実行モジュールによって駆動部材の起動が制御されるように、制御命令を実行モジュールに送信する。駆動部材が起動された後には、伸縮部材３の展開を制御して伸縮部材３の上端を上方に移動させ、これに連動して第１の支持ロッド２１が上方に移動して第２の支持ロッド２２から離隔することによって、テーブル天板１が上昇されて平面テーブルの使用高さが高くなる。
【００２０】
昇降ノブ４１を反時計回りに回転させると、自動的下降機能が起動され、信号収集モジュールが昇降ノブ４１の状態をリアルタイムに検出する。使用者が昇降ノブ４１を反時計回りに回転させると、信号収集モジュールが信号を検出し、コントローラのデータ処理モジュールが一連の分析を行った後、コントローラの実行モジュールによって駆動部材の起動が制御されるように、制御命令を実行モジュールに送信する。駆動部材が起動された後には、伸縮部材３の収縮を制御して伸縮部材３の上端を下方に移動させ、これに連動して第１の支持ロッド２１が下方に移動して第２の支持ロッド２２へ近接することによって、テーブル天板１が下降されて平面テーブルの使用高さが低くなりたり、初期状態（第１の支持ロッド２１と第２の支持ロッド２２とが当接した状態）に戻りたりする。
【００２１】
昇降ノブ４１が時計回りまたは反時計回りに回転するときに、コントローラによって検出された信号が異なる。これにより、使用者が平面テーブルの使用高さの上昇を要望するか、それとも使用高さの下降を要望するかを判別する。昇降ノブ４１は、無制限に回転可能ではなく、平面テーブルの上昇高さが閾値を超えたときには、昇降ノブ４１は時計回りへの回転が不可となり、また、平面テーブルが初期状態に戻ったときには、昇降ノブ４１は反時計回りへの回転が不可となる。
【００２２】
本実施例では、伸縮部材３は、第１の伸縮部材３１と第２の伸縮部材３２とを備え、第１の伸縮部材３１の両端は、それぞれ接続ピン２４を介して帯状溝２３の両端に接続され、第２の伸縮部材３２の両端は、それぞれ接続ピン２４を介して帯状溝２３の両端に接続され、第１の伸縮部材３１と第２の伸縮部材３２との間は、ピン軸を介して回動可能に接続される。
【００２３】
第１の伸縮部材３１と第２の伸縮部材３２とは、構造も設置方式も同じである。第１の伸縮部材３１を例とすれば、第１の伸縮部材３１は、複数の連結リンクを備え、各連結リンクは、隣接する２つの連結リンクが回転可能であるように軸を介して順次連結されておる。第１の伸縮部材３１の両端は、それぞれ対応する接続ピン２４を介して帯状溝２３に接続され、組立時には、第１の伸縮部材３１は、その両端が同一の支持ロッド２における２つの帯状溝２３に接続されることもでき、または、一端が一方の支持ロッド２の１つの帯状溝２３に接続され、他端が他方の支持ロッド２の帯状溝２３に接続されることもできる。第１の伸縮部材３１の具体的な接続方式は、伸縮部材の具体的な構造によって決まるので、本実施例では具体的に限定せず、図面には、第１の伸縮部材３１の両端がそれぞれ２つの支持ロッド２に接続されている場合を示している。
【００２４】
平面テーブルの使用高さを高くする場合、第１の支持ロッド２１と第２の支持ロッド２２とが離隔される。第１の支持ロッド２１と第２の支持ロッド２２との離隔後の平面テーブルの安定性を確保するために、本実施例では、第１の支持ロッド２１と第２の支持ロッド２２との間は固定ロッド２７を介して接続され、固定ロッド２７は、第１の支持ロッド２１と第２の支持ロッド２２との内部に挿通される。
【００２５】
固定ロッド２７は、第１の支持ロッド２１と第２の支持ロッド２２との内部に挿通されるように、その断面サイズが支持ロッド２の断面サイズよりも小さい。第１の支持ロッド２１と第２の支持ロッド２２とが離隔した後に、固定ロッド２７が第１の支持ロッド２１と第２の支持ロッド２２とを安定的にするために、本実施例では、固定ロッド２７の長さは、第１の支持ロッド２１と第２の支持ロッド２２との長さの合計と等しいように設定されている。
【００２６】
平面テーブルのサイズが大きいので、いずれの年齢段階の人が平面テーブルを最適な位置や状態に調整することができるように、本実施例では、第２の支持ロッド２２の底部には、ユニバーサルホイール２５とユニバーサルホイール２５をロッキングするためのロック２６とが設けられている。使用者が平面テーブルを押し動かせば、ユニバーサルホイール２５によって移動や方向の調整が可能となり、位置調整が完了後には、ロック２６でユニバーサルホイール２５をロッキングすることによって、使用中にユニバーサルホイール２５によって平面テーブルが移動することを防止して、平面テーブルの使用時の安定性を確保することができる。
【００２７】
平面テーブルの表面は通常水平面であるが、使用者の異なる要求に応じて、例えば読書時に視線と本の表面との角度が快適な範囲にあるように、本を傾斜させてテーブル表面と本とが所定の角度をなすようにする。しかし、そうすれば、使用者が本を手で傾斜に持つ必要があることにより、使用者の負担が大きくなるので、本実施例では、使用者の体験感を高めるために、平面テーブルのテーブル天板１を所定の角度に傾斜させ、本を傾斜されたテーブル表面に置くことにより、使用者が手で持つことなく、本が使用者の視線となす角度が快適な範囲にあることができる。このため、本実施例では、テーブル天板１は、上板１１と下板１２とを備え、上板１１は、上板１１と下板１２とが所定の角度をなすように、回転軸１３を介して下板１２に回転可能に接続され、回転軸１３は、駆動部材を介してコントローラに接続される。
【００２８】
上板１１が傾斜するときに本がテーブル表面に沿って滑っ落下することを防止するために、テーブル天板１が使用者の手前部分が依然として平面構造になるように、上板１１のサイズを下板１２のサイズよりも小さくする。
【００２９】
制御パネル４には、コントローラに接続されている角度ノブ４２が設けられており、コントローラは、角度ノブ４２の回転角を検出し、駆動部材は、上板１１の一端が上昇して下板１２と角度をなすように、回転軸１３の回転を制御する。
【００３０】
角度ノブ４２を時計回りに回転させると、自動的上昇機能が起動され、コントローラの信号収集モジュールが角度ノブ４２の状態をリアルタイムに検出する。使用者が角度ノブ４２を時計回りに回転させると、信号収集モジュールが信号を検出し、コントローラのデータ処理モジュールが一連の分析を行った後、コントローラの実行モジュールによって駆動部材の起動が制御されるように、制御命令を実行モジュールに送信する。駆動部材が起動された後には、上板１１が回転軸１３を中心として上方に回転して下板１２と角度をなすように、回転軸１３の回転を制御する。これにより、上板１１が傾斜されて、テーブル天板１の使用角度を調節する目的を実現する。
【００３１】
角度ノブ４２を反時計回りに回転させると、自動的下降機能が起動され、信号収集モジュールが昇降ノブ４１の状態をリアルタイムに検出する。使用者が角度ノブ４２を反時計回りに回転させると、信号収集モジュールが信号を検出し、コントローラのデータ処理モジュールが一連の分析を行った後、コントローラの実行モジュールによって駆動部材の起動が制御されるように、制御命令を実行モジュールに送信する。駆動部材が起動された後には、上板１１が回転軸１３を中心として下へ回転して下板１２との角度が小さくなるように、回転軸１３の回転を制御する。これにより、上板１１が水平状態に戻って、テーブル天板１の使用角度を調節する目的を実現する。
【００３２】
角度ノブ４２は時計回りまたは反時計回りに回転するときに、コントローラによって検出された信号が異なる。これにより、使用者が上板１１の傾斜を要望するか、それとも上板１１の水平状態への復帰を要望するかを判別する。角度ノブ４２は、無制限に回転可能ではなく、平面テーブルの上板１１の傾斜角度が閾値を超えたときには、角度ノブ４２は時計回りへの回転が不可となり、また、平面テーブルが初期状態（テーブル表面の水平状態）に戻ったときには、角度ノブ４２は反時計回りへの回転が不可となる。
【００３３】
上板１１が傾斜する場合、使用者の使用要求を満たし、平面テーブルの使用安定性を維持し、上板１１が圧力によって下方への初期状態に復帰することを防止するために、本実施例では、上板１１と下板１２との間は、補助支持ロッド１４を介して接続され、上板１１と下板１２とが角度をなす場合、補助支持ロッド１４は上板１１を支持する。
【００３４】
上板１１が上方に傾斜する場合、補助支持ロッド１４は徐々に展開されながら上板１１を支持して、上板１１の下方への移動（回転）を防止することにより、平面テーブルの使用安定性を確保する。
【００３５】
図６に示すように、平面テーブルは四季使用できるものであるので、冬にはテーブル表面が冷たくなる。使用者が快適に平面テーブルを使用することができるように、本実施例では、使用要求に応じてテーブル天板を加熱して、使用者の体験感を向上させる。このため、上板１１には、保護板５、加熱層６、断熱層７が設けられ、保護板５は、上板１１の最上部に位置し、保護板５の下部に加熱層６が設けられ、加熱層６の下部に断熱層７が設けられ、加熱層６はコントローラに接続され、コントローラは断熱層７と上板１１の下部との間に設けられる。
【００３６】
テーブル表面を加熱するための加熱層６は、上板１１の内部に設けられ、上板１１が受ける温度に影響を与えることを防止するために、即ち、加熱層６からの熱が下板１２へ逃げて上板１１の温度が要望の温度となることができないことを防止するために、加熱層６の下部に断熱層７を設ける。保護板５は、加熱層６を保護するとともに、使用者からの圧力を受けるためのものである。
【００３７】
制御パネル４には、コントローラに接続されている温度ノブ４３が設けられており、コントローラは、温度ノブ４３の回転角を検出し、上板１１の温度が上昇または下降するように、加熱層６の動作を制御する。
【００３８】
温度ノブ４３を時計回りに回転させると、自動的温度上昇機能が起動され、コントローラの信号収集モジュールが温度ノブ４３の状態をリアルタイムに検出する。使用者が温度ノブ４３を時計回りに回転させると、信号収集モジュールが信号を検出し、コントローラのデータ処理モジュールが一連の分析を行った後、コントローラの実行モジュールによって駆動部材の起動が制御されるよういん、制御命令を実行モジュールに送信する。駆動部材が起動された後には、上板１１の表面温度が徐々に上昇するように、加熱層６の加熱を制御する。
【００３９】
温度ノブ４３を反時計回りに回転させると、自動的温度下降機能が起動され、信号収集モジュールが温度ノブ４３の状態をリアルタイムに検出する。使用者が温度ノブ４３を反時計回りに回転させると、信号収集モジュールが信号を検出し、コントローラのデータ処理モジュールが一連の分析を行った後、コントローラの実行モジュールによって駆動部品の起動が制御されるように、制御命令を実行モジュールに送信する。駆動部材が起動された後には、加熱層６を制御して、加熱の程度を減少、または加熱を停止させることで、上板１１の表面温度が徐々に下降、または室温になるようにする。
【００４０】
温度ノブ４３が時計回りまたは反時計回りに回転するときに、コントローラによって検出された信号は異なる。これにより、使用者がテーブル表面の温度の上昇を要望するか、それともテーブル表面の温度の下降を要望するかを判別する。温度ノブ４３は、無制限に回転可能ではなく、平面テーブル表面の温度が閾値を超えたときには、温度ノブ４３は時計回りへの回転が不可となって、温度が高すぎて使用者の体に火傷させることを防止する。また、平面テーブルの表面の温度が室温になったときには、温度ノブ４３は反時計回りへの回転が不可となる。
【００４１】
また、本実施例では、平面テーブル使用時の給電の要求によって、平面テーブルは、コントローラに接続されている電源装置をさらに備える。電源装置は、平面テーブルが正常的に作動するように、平面テーブルに電源を提供して、自動的昇降、角度調節及び温度制御の機能を実現する。
【００４２】
以上によれば、本考案の実施例に係る平面テーブルは、テーブル天板１と、テーブル天板１の下部に設けられ、第１の支持ロッド２１と第２の支持ロッド２２とを有する支持ロッド２と、を備え、支持ロッド２の内側には、帯状溝２３が設けられており、第１の支持ロッド２１に位置する帯状溝２３の上端には接続ピン２４が設けられており、第２の支持ロッド２２に位置する下端には接続ピン２４が設けられており、テーブル天板１の短辺側に位置する２つの支持ロッド２の間は、伸縮部材３を介して接続され、伸縮部材３の両端はそれぞれ対応する接続ピン２４を介して帯状溝２３に回転可能に接続され、伸縮部材３は、駆動部材を介してコントローラに接続され、テーブル天板１の表面における制御パネル４には、コントローラに接続されている昇降ノブ４１が設けられており、コントローラは、昇降ノブ４１の回転角を検出し、駆動部材が伸縮部材３の展開や収縮を制御することにより、第１の支持ロッド２１と第２の支持ロッド２２との離隔や近接が制御されて、テーブル天板１の上昇や下降が実現される。このように、本実施例に係る平面テーブルは、使用要求に応じて使用高さを調節することができるので、年齢段階や身長が異なる人に適用されることができ、また、手動でロッキングする必要がなく、昇降時には緩みの発生や不安定な状況はない。
【図１】
0003224271.tif 000003
【図２】
0003224271.tif 000004
【図３】
0003224271.tif 000005
【図４】
0003224271.tif 000006
【図５】
0003224271.tif 000007
【図６】
0003224271.tif 000008